(57)【要約】【課題】利用者がゆったりとくつろいで座ることができ、しかも使い勝手の良い三脚椅子を提供する。【解決手段】平面形状が三方へ張り出した形を呈すると共に、一つの張り出し部１ａを前側、他の二つの張り出し部１ｂ，１ｃ間の縁を後縁１ｄとする座席部１と、各張り出し部１ａ〜１ｃ近傍において座席部１を所定の高さに支持する三本の脚部２〜４と、前記後縁１ｄの略上方に位置して設けられ、後方へ湾曲した背もたれ５を備え、背もたれ５の曲率が、座席部１の左右両縁の延長線又はその近似直線Ａ，Ｂの互いの交点Ｏを中心として後ろ側の脚部３，４又は後縁１ｄを通る円周Ｃの曲率よりも大きい。【選択図】図２
0003128036.tif 000002
【実用新案登録請求の範囲】
【請求項１】
平面形状が三方へ張り出した形を呈すると共に、一つの張り出し部を前側、他の二つの張り出し部間の縁を後縁とする座席部と、前記各張り出し部近傍において前記座席部を所定の高さに支持する三本の脚部と、前記後縁の略上方に位置して設けられ、後方へ湾曲した背もたれと、を備えることを特徴とする三脚椅子。
【請求項２】
背もたれが、後ろ側の二本の脚部を上方へ延長して形成した二本の支柱に左右を支持されたことを特徴とする請求項１に記載の三脚椅子。
【請求項３】
背もたれの曲率が、座席部の左右両縁の延長線又はその近似直線の互いの交点を中心として前記座席部の後縁又は後ろ側の両張り出し部の縁を通る円周の曲率よりも大きいことを特徴とする請求項１に記載の三脚椅子。
【考案の詳細な説明】
【技術分野】
【０００１】
本考案は、椅子に関するものであり、特に、脚部（レッグ）が三本の、すなわち三脚椅子に関する。
【背景技術】
【０００２】
ふつう、背もたれ付きの木製椅子は、四本の脚部を有するものが多い。しかしながら、この種の四脚椅子は、床に僅かな起伏があるとガタついてしまうといった欠点がある。
【０００３】
その点、下記の特許文献に記載されたような、三本の脚部を有する三脚椅子（スリーレッグチェア）であれば、床の僅かな起伏に起因するガタつきは防止されるが、これらの特許文献のような三脚椅子は、利用者がゆったりとくつろいで座ることのできるようなものではなかった。
【特許文献１】実用新案登録第３１０３０２９号公報
【特許文献２】特開２０００−２７９２７２号公報
【考案の開示】
【考案が解決しようとする課題】
【０００４】
本考案は、以上のような点に鑑みてなされたものであって、その技術的課題は、利用者がゆったりとくつろいで座ることができ、しかも使い勝手の良い三脚椅子を提供することにある。
【課題を解決するための手段】
【０００５】
上述した技術的課題を有効に解決するための手段として、請求項１の考案に係る三脚椅子は、平面形状が三方へ張り出した形を呈すると共に、一つの張り出し部を前側、他の二つの張り出し部間の縁を後縁とする座席部と、前記各張り出し部近傍において前記座席部を所定の高さに支持する三本の脚部と、前記後縁の略上方に位置して設けられ、後方へ湾曲した背もたれと、を備えるものである。なお、ここでいう「三方へ張り出した形」とは、角を丸めた近似三角形、近似扇形、近似銀杏葉形などを総称するものである。
【０００６】
請求項２の考案に係る三脚椅子は、請求項１に記載された構成において、背もたれが、後ろ側の二本の脚部を上方へ延長して形成した二本の支柱に左右を支持されたことを特徴とする。
【０００７】
請求項３の考案に係る三脚椅子は、請求項１に記載された構成において、背もたれの曲率が、座席部の左右両縁の延長線又はその近似直線の互いの交点を中心として前記座席部の後縁又は後ろ側の両張り出し部の縁を通る円周の曲率よりも大きいことを特徴とする。
【考案の効果】
【０００８】
請求項１の考案に係る三脚椅子によれば、座席部を三本の脚部で支持するため、床の僅かな起伏に起因するガタつきが発生せず、座席部は、一つの張り出し部を前側として三方へ張り出すことによって、臀部を支持する後ろ側が広い形状であるため、背もたれに寄り掛かりながらゆったりと座ることができ、この場合、上半身の体重が偏って作用する座席部の後部を二本の脚部で左右両側から支持するので、十分な強度及び安定性が確保される。しかも、前側ほど座席部の左右の幅が小さく、脚部も一本であるため、利用者が両足を楽に動かすことかできる。
【０００９】
また、請求項２の考案に係る三脚椅子によれば、背もたれが、後ろ側の二本の脚部を上方へ延長して形成した二本の支柱に左右を支持された構成とすることによって、利用者の腰部の開放感を確保することができる。
【００１０】
さらに、請求項３の考案に係る三脚椅子によれば、利用者の背中が安定して支持され、例えば非使用時には、複数の三脚椅子を、その座席部同士が互いに前記交点を中心とする円形をなすように詰めて配置することによって、あまり場所を取らず、外観上美しい形で片付けることができる。
【考案を実施するための最良の形態】
【００１１】
以下、本考案に係る三脚椅子の好ましい実施の形態について、図面を参照しながら説明する。図１は、本考案に係る三脚椅子を示す斜視図、図２は、同じく平面図、図３は側面図、図４は正面図、図５は、図２及び図４におけるＶ−Ｖ断面図、図６は、設置状態の一例を示す斜視図である。
【００１２】
この実施の形態の三脚椅子は、図２に示されるように、平面形状が、角を丸めた略扇形を呈すると共に、扇形の中心（扇のかなめ）に向かって張り出した一つの張り出し部１ａを前側、他の二つの張り出し部１ｂ，１ｃ間の縁部を後縁１ｄとする座席部１と、各張り出し部１ａ〜１ｃ又はその近傍において座席部１を所定の高さに支持する三本の木製の脚部２〜４と、図１あるいは図３などに示されるように、座席部１の後縁１ｄの上方に位置して設けられ、後ろ側へ向けて湾曲した木製の背もたれ５とを備える。
【００１３】
詳しくは、座席部１は、図２、図４及び図５などに示されるように、前側の脚部２及び右後ろの脚部３の間に架設された木製の右梁１１と、前側の脚部２及び左後ろの脚部４の間に架設された木製の左梁１２と、右梁１１及び左梁１２の後部間に互いに二等辺三角形をなすように架設された木製の後部梁１３と、右梁１１及び左梁１２の前部間に固定された木製の補強材１４と、これらの梁１１〜１３及び補強材１４により支持された木製の座板１５と、この座板１５の上面に敷設されたクッション材１６及びこれをくるむように座板１５に張られたシート（表布）１７とからなる。
【００１４】
この座席部１の平面形状は、先に説明したように略扇形であり、その後縁１ｄは、図２に示されるように、左右両縁の近似直線Ａ，Ｂの互いの交点Ｏを中心とする円周Ｃに近似した円弧状に形成されている。また、この座席部１は、前側の張り出し部１ａが相対的に僅かに隆起し、後部の幅方向中間部が相対的に僅かに低くなるような湾曲面をなしている。
【００１５】
脚部２〜４は、図１及び図４などに示されるように、鉛直線に対して適宜傾斜した状態に立設されており、これによって互いの間隔が下側ほど広くなっている。そしてこのうち、右後ろ及び左後ろの二本の脚部３，４は、座席部１の上側へ延長されてそれぞれ支柱６，７となっており、背もたれ５は、左右の端部近傍が、この支柱６，７に取り付けられている。
【００１６】
また、この背もたれ５は、図２に示されるように、座席部１における左右両縁の近似直線Ａ，Ｂの交点Ｏを中心とする円周Ｃよりも大きな曲率で、すなわち座席部１の後縁１ｄよりも大きな曲率で後方へ湾曲しており、言い換えれば、背もたれ５の曲率半径は、前記円周Ｃの半径よりも小さいものとなっている。
【００１７】
以上の構成を備える本考案の三脚椅子によれば、平面形状が三方へ張り出した形状である略扇形をなす座席部１を、各張り出し部１ａ〜１ｃ又はその近傍に立設した三本の脚部２〜４で支持するため、床の僅かな起伏に起因するガタつきが発生しない。しかも、脚部２〜４は、互いの間隔が下側ほど広くなるように傾斜して立設されているので、優れた安定性が確保される。
【００１８】
また、座席部１は、一つの張り出し部１ａを前側として三方へ張り出しているため、臀部を支持する後ろ側が広い形状となる。したがって、利用者は、背もたれに寄り掛かりながらゆったりと座ることができる。この場合、座席部１の後部には、利用者の上半身の体重が偏って作用することになるが、座席部１の後部は、左右二本の脚部３，４で支持するので、十分な強度及び安定性を確保することができる。しかも、前側ほど座席部１の左右の幅が小さく、前側の脚部２も一本であるため、四脚の椅子に座った場合に比較して、利用者が両足を楽に動かすことかできる。
【００１９】
また、背もたれ５が二本の支柱６，７によって左右を支持されており、しかもこの支柱６，７は、二本の脚部３，４を上方へ延長したものであるため、互いの間隔が、下側でやや広くなっている。このため、利用者の腰部の開放感を確保することができる。
【００２０】
しかも、背もたれ５の曲率は、既述のように、座席部１における左右両縁の近似直線Ａ，Ｂの交点Ｏを中心とする円周Ｃの曲率よりも大きいため、この背もたれ１が、利用者の背中を左右から包み込む形状となる。したがって、当該三脚椅子の前方に対して斜めに座った場合でも、利用者の背中が安定して支持される。
【００２１】
また、例えば非使用時には、図６に示されるように、複数の三脚椅子を、その各座席部１の張り出し部１ａが一点Ｐを向くように、言い換えれば各座席部１の後縁１ｄが一点Ｐを中心とする円周をなすように詰めておくことができる。そして、背もたれ５の曲率は、既述のように、座席部１における左右両縁の近似直線Ａ，Ｂの交点Ｏを中心とする円周Ｃの曲率よりも大きいため、図６のように並べることによって、背もたれ５が、開いた花弁のような形状に組み合わされ、あまり場所を取らずに、見た目にも美しい形で片付けることができる。
【００２２】
しかも、三本の脚部２〜４が図２に示される座席部１の左右両縁の近似直線Ａ，Ｂより僅かに内側に配置されているので、図６のように詰めたり、あるいはその状態から移動する際に、隣接する椅子の脚部同士が干渉するのを有効に防止することができる。
【図面の簡単な説明】
【００２３】
【図１】本考案に係る三脚椅子の好ましい実施の形態を示す斜視図である。
【図２】本考案に係る三脚椅子の好ましい実施の形態を示す平面図である。
【図３】本考案に係る三脚椅子の好ましい実施の形態を示す側面図である。
【図４】本考案に係る三脚椅子の好ましい実施の形態を示す正面図である。
【図５】図２及び図４におけるＶ−Ｖ断面図である。
【図６】設置状態の一例を示す斜視図である。
【符号の説明】
【００２４】
１  座席部
１ａ〜１ｃ  張り出し部
１ｄ  後縁
２〜４  脚部
５  背もたれ
６，７  支柱
【図１】
0003128036.tif 000003
【図２】
0003128036.tif 000004
【図３】
0003128036.tif 000005
【図４】
0003128036.tif 000006
【図５】
0003128036.tif 000007
【図６】
0003128036.tif 000008